(57)【要約】      （修正有）【課題】テレビの周辺機器のビデオデッキ等を載置するための棚装置を、幅木のある壁に沿って強固に設置することができるようにする。【解決手段】壁２に取り付けられる支柱９と、支柱９から突出して棚板７を支持する棚受け６を備える。支柱９が幅木よりも上方の壁２に取り付けられる。支柱９に幅木の前方に配置されると共に床４に支持される幅木よけが設けられる。【選択図】図１
2010162073.tif 000002
【特許請求の範囲】
【請求項１】
壁に取り付けられる支柱と、支柱から突出して棚板を支持する棚受けを備え、前記支柱が幅木よりも上方の壁に取り付けられ、該支柱に幅木の前方に配置されると共に床に支持される幅木よけが設けられることを特徴とする棚装置。
【請求項２】
前記幅木よけの下端部に固着具により床に固着される床固着部が形成されることを特徴とする請求項１に記載の棚装置。
【請求項３】
前記床固着部が床に面接される水平なフランジ状に形成されることを特徴とする請求項２に記載の棚装置。
【請求項４】
前記支柱は柱状且つ断面で中空且つ左右に長い略長方形枠状の柱本体を備えて、該柱本体の背面を壁に沿って設けるものであることを特徴とする請求項１乃至３のいずれか１項に記載の棚装置。
【発明の詳細な説明】
【技術分野】
【０００１】
本発明は壁に沿って設けられる棚装置に関する。
【背景技術】
【０００２】
液晶テレビやプラズマテレビ等の薄型テレビは壁に掛けて設置されることがある。このテレビの周辺機器となるＤＶＤプレーヤーやビデオデッキ等の電気機器を利用する場合、壁に掛けられたテレビの近傍にこれらの機器を載置するための棚を設置する必要がある。
【０００３】
ここで、収納棚のように棚板を受ける支持部材が単に床に載置するだけのものである場合、重量のある載置物を載置するために、支持部材の床への接地面積を大きくして棚装置を強固に設置する必要がある。しかし、この場合は支持部材が厚くなり、薄型テレビを壁に掛けて設置したにもかかわらず、室内に居る人に対して圧迫感を与えて室内空間を狭く感じさせてしまう。
【０００４】
また、例えば特許文献１のように支持部材を壁にビス等で固着して薄型化を図ったラックも利用されている。
【０００５】
このラックは、左右一対の棚柱を横繋ぎ材で繋ぎ、一対の棚柱の夫々に棚板を支持するための前方に突出する棚受けブラケットを取り付けてある。横繋ぎ材はビス等で壁に固着されている。また、最上部及び最下部の横繋ぎ材にレベルアジャスターを設けてあり、レベルアジャスターを床面及び天井面に突っ張らせることで、ラックは強固に設置される。
【先行技術文献】
【特許文献】
【０００６】
【特許文献１】特開２００６−６０７５４号公報
【発明の概要】
【発明が解決しようとする課題】
【０００７】
ところで、特許文献１のラックは幅木のある壁に設けられることを考慮したものではなく、このラックを幅木が設けられた壁に沿って設置しようとした場合、最下部の横繋ぎ材が幅木に干渉してラックを設置できない場合がある。
【０００８】
本発明は上記従来の問題点に鑑みてなされたものであって、幅木のある壁に沿って強固に設置することができる棚装置を提供することを課題とする。
【課題を解決するための手段】
【０００９】
上記課題を解決するために本発明の棚装置は、壁２に取り付けられる支柱９と、支柱９から突出して棚板７を支持する棚受け６を備え、前記支柱９が幅木２０よりも上方の壁２に取り付けられ、該支柱９に幅木２０の前方に配置されると共に床４に支持される幅木よけ１０が設けられることを特徴とする。
【００１０】
また、前記幅木よけ１０の下端部に固着具により床４に固着される床固着部１７が形成されることが好ましい。
【００１１】
また、前記床固着部１７が床４に面接される水平なフランジ状に形成されることが好ましい。
【００１２】
また、前記支柱９は柱状且つ断面で中空且つ左右に長い略長方形枠状の柱本体１１を備えて、該柱本体１１の背面を壁２に沿って設けるものであることが好ましい。
【発明の効果】
【００１３】
請求項１に係る発明では、支柱が壁に取り付けられると共に幅木よけが床に支持されるので、幅木が設けてある壁に沿って棚装置を強固に設置することができる。
【００１４】
また、請求項２に係る発明では、幅木よけの下端部に形成された床固着部を固着具により床に固着し、棚装置をより強固に設置することができる。
【００１５】
また、請求項３に係る発明では、水平なフランジ状の床固着部を床に面接させて、幅木よけを床に支持させることができ、棚装置をより強固に設置することができる。
【００１６】
また、請求項４に係る発明では、断面で左右に長い略長方形枠状に形成されて強度の高い柱本体を壁に沿って設けることができ、棚装置をより強固に設置することができる。
【図面の簡単な説明】
【００１７】
【図１】本発明の実施形態の一例の棚装置を設置した状態を示す斜視図である。
【図２】同上の棚装置の上方の壁にテレビを取り付けた状態を示す斜視図である。
【図３】同上の棚装置の設置状態を示し、（ａ）は側面図であり、（ｂ）は正面図である。
【図４】図３（ａ）のＡ−Ａ断面図である。
【図５】同上の化粧パネルの下部と幅木よけとの接続構造を示す側断面図である。
【図６】同上の化粧パネルの上部と柱本体との接続構造を示す側断面図である。
【図７】同上の柱本体を示し、（ａ）は正面図、（ｂ）は底面図、（ｃ）は側面図である。
【図８】同上の幅木よけを示し、（ａ）は背面図、（ｂ）は（ａ）のＢ−Ｂ断面図、（ｃ）は平面図である。
【図９】同上のアーム支持体を示し、（ａ）は背面図、（ｂ）は側面図、（ｃ）は平面図である。
【図１０】同上の棚受けアームを示し、（ａ）は正面図、（ｂ）は平面図、（ｃ）は（ｂ）のＣ−Ｃ断面図である。
【発明を実施するための形態】
【００１８】
以下、本発明の実施形態の一例を添付図面に基づいて説明する。
【００１９】
図１に本実施形態の一例の棚装置１を示す。本例の棚装置１は図２のように壁２に取り付けられた液晶テレビやプラズマテレビ等の薄型のテレビ３の下方に設置され、テレビ３の周辺機器となるＤＶＤプレーヤーやビデオデッキ等の電気機器を載置するために用いられる。なお、テレビ３はねじ等の固着具を用いて直接壁２に取り付けられた取付具（図示せず）を介して壁２に取り付けられる。
【００２０】
図３のように、棚装置１は、部屋の壁２及び床４に固着される上下に長い支持材５と、支持材５から前方に向けて突設された棚受け６と、棚受け６によって支持される棚板７と、棚板７の後方に配置されて支持材５の前側を覆う化粧パネル８とで構成されている。
【００２１】
支持材５は、壁２に固着される支柱９と、支柱９の下端部に取り付けられて床４に固着される幅木よけ１０とで構成されている。支柱９は、柱状の柱本体１１と、柱本体１１に対して上下位置を変更可能に取り付けられるアーム支持体１２とで構成されている。
【００２２】
柱本体１１は金属製押出形材からなり、図７のように水平断面が前後厚みの薄い略長方形枠状となり、中空である。このように柱本体１１は金属製押出形材からなるので、柱本体１１の製造コストを抑えることができる。また、断面略長方形枠状に形成されるので、柱本体１１の強度を高めることができる。なお、柱本体１１は押出形材以外の材料からなるものであってもよい。
【００２３】
柱本体１１は背面を構成する後板部１３を壁２の幅木２０よりも上方の室内側の面に当接或いは近傍に配置した状態で壁２に固着され、これにより支柱９は幅木２０の上方に配置される。なお、本例の支柱９は前記テレビ３を壁２に取り付けるための取付具に取り付けられ、取付具を介して間接的に壁２に取り付けられることで、重量のあるテレビ３の荷重を受けることができるものであるが、ねじ等を用いて直接壁２に取り付けられるものであってもよい。また、支柱９は前記テレビ３を壁２に取り付けるための取付具と一体に設けてもよく、この場合もテレビ３の荷重を支柱９で負担することができる。
【００２４】
柱本体１１の前部は壁２の下端部に沿って設けられた幅木２０よりも前方に突出している。該柱本体１１の下端部の前部は後部よりも下方に突出し、幅木よけ取付部１４を構成している。幅木よけ取付部１４の前面部及び両側面部にはねじ孔からなる幅木よけ取付孔１５が穿設されている。
【００２５】
図８のように、幅木よけ１０は、水平断面で後方に開口するコ字状に形成された幅木覆い部１６と、幅木覆い部１６の下縁から前方及び両外側方に向けて一体に突出した水平なフランジ状の床固着部１７とで構成されている。幅木よけ１０の前後の厚みは柱本体１１の前後の厚みよりも薄い。
【００２６】
幅木覆い部１６の上部において、前面部の両側及び両側面部には貫通孔１８が穿設されている。幅木よけ１０を支柱９に取り付けるには、幅木覆い部１６の上部にて柱本体１１の幅木よけ取付部１４を被嵌し、各貫通孔１８に挿通したねじ１９を対応する幅木よけ取付孔１５に螺入する。幅木よけ１０は支柱９の前部から下方に向けて突出し、図５に示すように幅木覆い部１６にて幅木２０の長手方向の一部の前方を覆う。
【００２７】
床固着部１７はその下面が床４に面接した状態で床４に支持され、固着具により床４に固着される。図８に示すように床固着部１７の左右両側には孔２３が穿設されている。床固着部１７を床４に固着するには、各孔２３に通した固着具を構成するねじ２４（図３参照）を床４に固着する。このように、支持材５は壁２に固着されると共に床４に支持されるので、棚装置１を強固に設置できる。また、幅木よけ１０は固着具により床４に固着され、さらに、断面略長方形枠状で強度が高い柱本体１１を壁２に沿って固着するので、棚装置１をより強固に設置することができる。なお、本例の幅木よけ１０は支柱９と別体であるが、支柱９と一体に設けられてもよい。
【００２８】
図７のように柱本体１１の前面を構成する前板部２１の両側と、左右両側の側面を構成する側板部２５の後部とには、雌ねじからなる取付用孔２６が上下に多数穿設されている。
【００２９】
図９に示すように、アーム支持体１２は、柱本体１１の上下方向の一部に取り付けられる本体固着部２７と、本体固着部２７から左右方向の両外側に向けて突出するアーム固着部２８で構成されている。
【００３０】
本体固着部２７には上下に亘って後方に開口する本体収納凹所２２が形成されている。本体固着部２７の上部及び下部における前面部及び両側面部には通孔２９が穿設されている。
【００３１】
アーム支持体１２を柱本体１１に取り付けるには、図４に示すように本体収納凹所２２に柱本体１１の上下方向の一部を収納して、本体固着部２７にて前方から柱本体１１を被嵌し、各通孔２９に通したビス３０を取付用孔２６に螺入する。各通孔２９に通されるビス３０は、柱本体１１に上下に多数組形成された取付用孔２６のうち、任意の取付用孔２６に螺入される。このビス３０が螺入される取付用孔２６を選択することにより、アーム支持体１２は柱本体１１に対する上下方向の取付位置が可変となっている。
【００３２】
図９に示すように各アーム固着部２８には後方及び外側方に開口するアーム収納溝３１が形成されている。各アーム固着部２８の前面部には複数の孔３２が穿設されている。
【００３３】
棚受け６は、支持材５の両側に設けられて支持材５よりも前方に突出する棚受けアーム３３と、両棚受けアーム３３の間に架設された別体の部材からなる配線収納部３４で構成されている。配線収納部３４の内部には配線を収納できるようになっている。
【００３４】
図１０は向かって右側に位置する棚受けアーム３３を図示したものであり、両側の棚受けアーム３３は左右対称形状である。
【００３５】
各棚受けアーム３３は、支持材５から左右方向の外側に向けて突出する引出部３５と、引出部３５の突端部から前方に向けて突出する突出部３６で構成され、平面視でＬ字状に形成されている。
【００３６】
図４に示すように、各棚受けアーム３３の引出部３５及びこれに連続する突出部３６の後部は断面で化粧パネル８側に開口するコ字状に形成され、内部に配線を収納できるようになっている。
【００３７】
引出部３５の支持材５側の部分にはナット３７が複数設けられている。各棚受けアーム３３はアーム支持体１２に取り付けられる。各棚受けアーム３３をアーム支持体１２に取り付けるには、図４のように引出部３５を対応するアーム固着部２８のアーム収納溝３１に挿入し、各孔３２に通したビス３８を対応するナット３７に形成された雌ねじに螺入する。
【００３８】
図１０に示すように突出部３６の後部には他方の突出部３６側となる側方に向けて連結部４０が突設されている。図４のように各棚受けアーム３３の連結部４０の夫々には配線収納部３４の左右の端部がビス４１により連結され、これにより配線収納部３４は棚受けアーム３３に取り付けられる。なお、配線収納部３４は棚受けアーム３３と一体に設けてもよい。
【００３９】
突出部３６の連結部４０より前方に突出した部分で棚板支持部４３が構成され、棚板支持部４３の前後には孔４４が穿設されている。
【００４０】
棚板７は略矩形状で透明なガラス板からなる。棚板７は両側が各棚受けアーム３３の棚板支持部４３上に載置されて棚受け６に支持され、上方から棚板７及び孔４４に挿通したリベット等の固着具５４（図３（ａ）参照）により棚受け６に取り付けられる。
【００４１】
棚板７は配線収納部３４よりも前方に設けられ、支持材５の前方に隙間を介して配置される。これにより、棚板７の後方には、棚板７と、棚板７の後方に位置する支持材５と、両棚受けアーム３３の突出部３６で囲まれてなる上下に開口したパネル挿通口４２が形成される。
【００４２】
棚板７は柱本体１１に対するアーム支持体１２の上下方向の取付位置を変更することで、図３（ａ）の２点鎖線で示すように上下位置を段階的に変更することができるようになっている。また、前記配線収納部３４は棚板７で隠れるよう棚板７よりも下方に配置される。
【００４３】
化粧パネル８は支持材５よりも左右幅が広い矩形状に形成されている。図５及び図６に示すように化粧パネル８の背面上部の両側には上爪４６が突設され、また、化粧パネル８の背面の下部両側には下爪４７が突設されている。
【００４４】
柱本体１１の前板部２１の上部両側には縦長スリット状の上引掛け孔４８が穿設されている。また、幅木覆い部１６の前面部の両側には縦長スリット状の下引掛け孔４９が穿設されている。
【００４５】
化粧パネル８は、各上爪４６及び各下爪４７が上引掛け孔４８及び下引掛け孔４９の夫々に上方から引掛け係止されることにより、支持材５に着脱自在に取り付けられる。
【００４６】
支持材５に取り付けられた化粧パネル８は、図１のようにパネル挿通口４２に挿通されて棚板７の後方に配置される。このとき、化粧パネル８の下端はわずかな隙間を介して床４上に位置する。
【００４７】
この化粧パネル８にて支持材５の略全部（柱本体１１の略全部とアーム支持体１２の全部）、及び、各棚受けアーム３３の引出部３５の夫々の前側が覆われる。
【００４８】
各棚受けアーム３３は、図４のように支持材５から化粧パネル８の後方及び左右方向の外側を回りこんで化粧パネル８よりも前方に突出する。具体的には、各棚受けアーム３３は、引出部３５が支持材５から化粧パネル８の後方を通過して化粧パネル８の側縁よりも外方に突出する位置まで引き出され、突出部３６が前記引出部３５の前記化粧パネル８の後方より引き出された端部から前方に向けて突出する。
【００４９】
このため、正面から見て支持材５が化粧パネル８の左右方向の外側に突出せず、化粧パネル８にて、支持材５、アーム支持体１２を柱本体１１に取り付けるためのビス３０や取付用孔２６、各棚受けアーム３３をアーム支持体１２に取り付けるためのビス３８を隠すことができ、外観を向上することができる。
【００５０】
また、化粧パネル８はその両側が支持材５よりも外側方に突出し、この化粧パネル８と後方の壁２の間には、両側方及び上方に開口する配線収納用空所５０が形成される。配線収納用空所５０は化粧パネル８の上縁と壁２との間から上方にも開口し、この開口から配線収納用空所５０に配線を導入できるようになっている。
【００５１】
配線収納用空所５０は、例えばテレビ３とその周辺機器となる棚板７上に載置された電気機器を接続する配線を収納するために利用される。配線収納用空所５０に収納された配線は前方の化粧パネル８によって覆い隠すことができる。
【００５２】
また、化粧パネル８は、壁２に沿って設けた支持材５に棚受け６を取り付け、この棚受け６に棚板７を取り付けた状態において、パネル挿通口４２から上方に引き抜き、各上爪４６の上引掛け孔４８に対する係止を解除すると共に、各下爪４７の下引掛け孔４９に対する係止を解除することにより、支持材５から取り外すことができる。
【００５３】
なお、本例の棚装置１はテレビ３よりも下方に位置する壁２に取り付けられ、棚板７上にテレビ３の周辺機器を載置するものであるが、勿論、棚装置１の取付位置や載置物はこれに限定されるものなく、適宜変更可能である。
【符号の説明】
【００５４】
１  棚装置
２  壁
４  床
６  棚受け
９  支柱
１０  幅木よけ
１１  柱本体
１７  床固着部
【図１】
2010162073.tif 000003
【図２】
2010162073.tif 000004
【図３】
2010162073.tif 000005
【図４】
2010162073.tif 000006
【図５】
2010162073.tif 000007
【図６】
2010162073.tif 000008
【図７】
2010162073.tif 000009
【図８】
2010162073.tif 000010
【図９】
2010162073.tif 000011
【図１０】
2010162073.tif 000012